(57)【特許請求の範囲】
【請求項１】
自動車のスリップ制御されるブレーキ装置に用いられるハイドロリックユニット（12）であって、
金属から成る弁ブロック（11）が設けられており、該弁ブロック（11）が、電磁的に作動させられる弁、つまり電磁弁（10）のハイドロリック部分（13）のための段付けされた少なくとも１つの収容孔（15）を備えており、
ハイドロリック部分（13）に固定用フランジ（30）が配置されており、該固定用フランジ（30）が、前記収容孔（15）に設けられた孔段部（46）に挿入されていて、弁ブロック（11）に固定されており、
ハイドロリック部分（13）の可動子（23）や磁気コア（24）のような磁気作用を有するエレメントを有する、圧力密な弁ドーム（16）が設けられており、該弁ドーム（16）が、前記収容孔（15）の延長上で、弁ブロック（11）を制限する制限平面（17）に被さっており、
電磁弁（10）の電気部分（14）が設けられており、該電気部分（14）が、前記弁ドーム（16）に被せ嵌められていて、該弁ドーム（16）を取り囲む電磁コイル（51）と、磁束を案内するハウジング（52）とを有しており、該ハウジング（52）内に、前記制限平面（17）に面した側で、磁束を案内するための軟磁性材料から成る環状板（53）が収容されている形式のものにおいて、
弁ブロック（11）の材料が、アルミニウム合金またはこれに類する合金のような軽量金属から成っており、電磁弁（10）のハイドロリック部分（13）に設けられた前記固定用フランジ（30）が、弁ブロック（11）の金属から成るかしめ締結部（48）によって位置固定されていることを特徴とする、自動車のスリップ制御されるブレーキ装置に用いられるハイドロリックユニット。
【請求項２】
前記固定用フランジ（30）が、前記弁ドーム（16）に固く結合されたブシュ（29）から半径方向に突設されており、該ブシュ（29）の肉厚さが、前記弁ドーム（16）の磁気作用を有するエレメントを収容するスリーブの肉厚さよりも大きく形成されている、請求項１記載のハイドロリックユニット。
【請求項３】
前記固定用フランジ（30）が、前記収容孔（15）の軸線に対して直角に延びる端面（31,32）を有しており、該端面のうちの一方の端面（32）が、前記孔段部（46）に接触しており、他方の端面（31）が、孔縁部から押し退けられた材料（47）によって少なくとも部分的にカバーされている、請求項２記載のハイドロリックユニット。
【請求項４】
前記ブシュ（29）が、磁化可能な材料から成っていて、ハイドロリック部分（13）の可動子（23）や磁気コア（24）のような磁気作用を有するエレメントのうちの１つの半径方向外側に配置されており、しかも前記ブシュ（29）が、電磁弁（10）の電気部分（14）の、磁束を案内するハウジング（52）によって周面側で少なくとも間接的に取り囲まれている、請求項２記載のハイドロリックユニット。
【発明の詳細な説明】
背景技術
本発明は、請求項１の上位概念部に記載の形式の、自動車のスリップ制御されるブレーキ装置に用いられるハイドロリックユニットから出発する。
ドイツ連邦共和国特許出願公開第3810581号明細書に基づき、鋼から成る弁ブロックを備えた、このような形式のハイドロリックユニットを製造することが既に公知である。この弁ブロックに設けられた、ハイドロリック部分のための段付けされた収容孔には、電磁的に作動させられる弁、つまり電磁弁が導入される。この電磁弁には固定用フランジが対応していて、この固定用フランジは段付け孔に導入され、電磁弁の圧力密な位置固定の目的で、弁ブロックの材料である鋼が前記固定用フランジに対してかしめ締結される。上記ドイツ連邦共和国特許出願公開第3810581号明細書には、かしめ締結の過程に基づき材料として鋼だけを使用することが絶対必要であることが示唆されている。これによって、このようなハイドロリックユニットは重くなり、かしめ締結は高価となり、特にシールの点では大きな問題が生じる。その代わりに、上記ドイツ連邦共和国特許出願公開第3810581号明細書には、アルミニウムから成る軽量構造のために、少なくとも１つの電磁弁をアルミニウムから成る２つのプレートの間に締付けねじによって締付け固定することが提案されている。上記ドイツ連邦共和国特許出願公開第3810581号明細書において不都合であると認められる構成では、各電磁弁の固定用フランジが、磁気作用を有するエレメント、たとえば可動子や磁気コアを有するカプセル形の弁ドームの開いた端部に、ホッパ状の拡開部によって形成されている。このような固定用フランジの形状に対応して、収容孔に設けられた孔段部の対応面もコストをかけて形成されている。弁ブロックの、かしめ締結によって押し退けられた材料は、固定用フランジを全周にわたって取り囲んでいる。それにもかかわらず、このような押し込み結合は明らかに強度要求を満たしていない。なぜならば、ドイツ連邦共和国特許出願公開第4030571号明細書には、弁ブロックに設けられた収容孔に、固定用フランジの形状に適合されたブシュを嵌入し、押込み結合によって得られた摩擦結合によるフランジ緊締の他に付加的に形状結合、つまり嵌合による係合結合を行い、これによって上記各構成部分の接触面の間に作用する剪断力を阻止することが記載されているからである。しかしこのことは、やはり弁ブロックにおける電磁弁のハイドロリック部分の固定のためにかかるコストを増大させてしまう。
さらに国際公開第92/12878号パンフレットに基づき、アルミニウムから成る弁ブロックを備えたハイドロリックユニットが公知である。この公知のハイドロリックユニットの弁ブロックには、電磁弁のハイドロリック部分が収容されている。電磁弁のハイドロリック部分の固定形式に関しては、何等記載されていない。
ドイツ連邦共和国特許出願公開第4142004号明細書に基づき公知の、ブレーキ装置に用いられる電磁弁では、電磁弁の弁ドームが、半径方向に突出した固定用フランジを有している。この固定用フランジは、弁ドームに被せられたねじ込みスリーブによって弁ドームにシールされて保持されている。ねじ込みスリーブおよびこのねじ込みスリーブのために弁ブロックに配置されたねじ込み用ねじ山を用いる固定は高価である。さらに、このようなねじ込み用ねじ山は、孔の平滑な直径段部よりも掃除が困難となる。しかし、慎重な掃除が絶対に必要となる。なぜならば、除去されていないチップが固定用フランジと弁ブロックとの間の非シール性をもたらすか、またはハイドロリック回路に流入する恐れがあるからである。このことは、ハイドロリックユニットの重大な損傷または機能損失を招く恐れがある。
発明の利点
請求項１の特徴部に記載の本発明によるハイドロリックユニットは、従来のものに比べて次のような利点を有している。すなわち、少なくとも１つの電磁弁と弁ブロックとの廉価に形成可能な結合が得られると共に、鋼に比べて著しく軽量な材料の選択によってかなりの重量節約が達成されている。
請求項２以下に記載の手段により、請求項１に記載のハイドロリックユニットの有利な改良が可能となる。
請求項２に記載の構成を用いると、一方では電磁弁のハイドロリック部分に作用する力が弁ブロックに容易に導出され、他方ではブシュのこのような形状付与に基づき、固定用フランジのそれ自体任意に実施可能なかしめ締結において、弁ドームの変形が回避され、弁ドームの内部に配置された各構成要素の自由な可動性が助成される。
請求項３に記載の別の有利な構成では、収容孔および固定用フランジの、あまり手間のかからない製造が得られると同時に、電磁弁のハイドロリック部分と弁ブロックとの間での、専ら形状結合として形成された結合も得られる。このような結合は高い負荷を吸収することができる。
請求項４に記載のさらに別の有利な構成では、ブシュ材料に基づき、一方では固定用フランジのかしめ締結時におけるブシュの高い形状強度が得られ、他方では電磁弁の電気部分と、ハイドロリック部分の磁気作用を有するエレメントとの間での磁束流の好都合な案内が得られる。したがって、ブシュは二重機能を有している。
図面
以下に、本発明の実施例を図面につき詳しく説明する。第１図は、押込み結合部によってハイドロリックユニットの弁ブロックに結合されている、無電流状態で閉じている電磁弁の縦断面図を示しており、第２図は、無電流状態で開いている電磁弁の縦断面図を示している。
実施例の説明
第１図に第１実施例として示した、電磁作動式の弁、つまり電磁弁10は弁ブロック11に配置されていて、自動車のスリップ制御されるブレーキ装置のためのハイドロリックユニット12（その他の部分は図示しない）の一部を形成している。電磁弁10はハイドロリック部分13と、電気部分14とから成っている。ハイドロリック部分13は主として、延性のアルミニウム合金から成る弁ブロック11に設けられた、段付けされた収容孔15内に収容されて、固定されている。この収容孔15の延長上では、ハイドロリック部分13の弁ドーム16が、弁ブロック11を制限する制限平面17を越えて突出している。弁ドーム16には、電気部分14が被せ嵌められている。
ハイドロリック部分13は円筒形横断面の肉薄なガイドスリーブ19を有している。収容孔15から出発して、このガイドスリーブ19には弁体20がプレス嵌めにより収容されている。この弁体20は、ガイドスリーブ19内で長手方向運動可能な可動子23に設けられた閉鎖部材22のための弁座21を有している。ガイドスリーブ19の、弁体20とは反対の側の端部は、弁ドーム16の一部として形成された時期コア24によって閉鎖されている。この磁気コア24は、可動子23に対してエアギャップ25が残るようにガイドスリーブ19内にプレス嵌めにより係合していて、環状の溶接部26によってガイドスリーブ19と結合されている。この結合は圧力密で、かつハイドロリック的に高い負荷耐性を有している。可動子23には、磁気コア24に作用する閉鎖ばね27が収容されている。この閉鎖ばね27は電磁弁10の図示の休止位置において、閉鎖部材22を弁座21に接触した状態に保持している。したがって、電磁弁10は無電流状態で閉じられている。
ガイドスリーブ19の真ん中の範囲では、磁気作用を有する可動子23の半径方向外側にブシュ29が被せ嵌められている。このブシュ29は弁ドーム16のガイドスリーブ19よりも大きな肉厚さを有している。弁体20寄りの側でブシュ29は半径方向に突出した固定用フランジ30を備えている。この固定用フランジ30の両端面31,32は収容孔15の軸線、つまりひいては電磁弁10の軸線に対して直角に延びている。ブシュ29は磁化可能な材料、たとえば軟磁性鋼から成っている。このブシュ29は、ステンレス鋼から成るガイドスリーブ19に溶接部33によって固く結合されている。この溶接は、図示したようにブシュ29の端面側で行うことができる。この溶接部は１つまたは複数の切欠き34の範囲に設けることもできる。この切欠き34により、ブシュ29の肉厚さは制限平面17の範囲で減じられている。溶接部33はガイドスリーブ19の全周面またはその一部にわたって設けられていてよい。溶接部33の代わりに、ブシュ29とガイドスリーブ19との結合を接着により行うこともできる。
固定用フランジ30から出発して、ガイドスリーブ19の、前記収容孔15に対応する部分には、支持リング37とシールリング38とが取り付けられている。このシールリング38は収容孔15を外部に対して密に閉鎖している。シールリング38に続いて、フィルタスリーブ39と第２のシールリング40と支持リング41とが取り付けられている。第２のシールリング40は弁ブロック11の圧力媒体管路42,43を互いに隔離しており、両圧力媒体管路42,43の通流は電磁弁10によって切換可能となる。
ブシュ29の、形状剛性的に形成された固定用フランジ30は、収容孔15に設けられた孔段部46に収容されている。孔部46の最初の輪郭は一点鎖線で示されている。したがって、孔段部46の直径は電磁弁10の電気部分14の直径よりも小さく形成されている。固定用フランジ30の弁体側の端面32は孔段部46の底面に接触している。それに対して、固定用フランジ30の他方の端面31は、材料隆起部47によってカバーされている。この材料隆起部47は、孔縁部から押し退けられた材料のかしめ締結部48によって得られている。孔段部46の孔縁部における、このような押込み結合によって負荷された範囲は、同じく電気部分14の直径の内側に位置している。材料隆起部47は固定用フランジ30を全周にわたって把持していて、弁ブロック11におけるハイドロリック部分13の位置を固定している。この材料隆起部47は、ハイドロリック部分13の内部および外部で働いて固定用フランジ30に伝達される力を弁ブロック11に確実に導出させることができる。比較的小さな負荷の場合では、固定用フランジ30の所定の区分だけが材料隆起部47の各部分によって把持されていれば十分となる。
電磁弁10の電気部分14は、ハイドロリック部分13が弁ブロック11に固定された後に、磁気作用を有するエレメント、つまり可動子23と磁気コア24との範囲で弁ドーム16に被せ嵌められている。電気部分14は電磁コイル51を有しており、この電磁コイル51は磁気コア24の範囲で弁ドーム16を取り囲んでいる。電磁コイル51には軟磁性材料から成るハウジング52が被せられる。このハウジング52には、底部側で、同じく軟磁性材料から成る環状板53がプレス嵌めにより押し込まれている。ハウジング52の、前記制限平面17とは反対の側の端面には、電磁コイル51の接続ピン54が形成されている。電気部分14のハウジング52は一方では磁気コア24を、他方では環状板53でハイドロリック部分13のブシュ29を、それぞれ遊びなく取り囲んでいると有利である。電磁コイル51が励磁された状態では、ブシュ29と磁気コア24とハウジング52と環状板53とが、ハイドロリック部分13の可動子23に磁束流を案内するために働く。磁気作用を有する磁気コア24は可動子23を電磁弁10の開放位置へ移動させる。
第２図に示した第２実施例では、電磁弁10′がやはりハイドロリック部分13と電気部分14とを有している。この電磁弁10′は構造的に見て、休止位置において無電流状態で開くように切り換えられている。電磁弁10′は弁ドーム16を有しており、この弁ドーム16は肉薄なカプセル57を備えている。このカプセル57には、電磁弁10′の可動子23が長手方向運動可能に収容されている。カプセル57は第１実施例の場合と同様に、段付けされた収容孔15内にまで延長された磁気コア24に溶接部26を介して結合されている。弁プランジャ58によって貫通された磁気コア24は比較的大きな肉厚さを有している。弁ブロック11の制限平面17の範囲では、磁気作用を有する磁気コア24にブシュ29が被せ嵌められており、このブシュ29は孔段部46に収容された固定用フランジ30を備えている。ブシュ29と磁気コア24との結合は押込み結合によって得られている。この押込み結合に基づき、ブシュ29に設けられた押込み成形部59は磁気コア24に設けられた溝60または切欠きに係合している。ハイドロリック部分13の固定用フランジ30は、第１実施例の場合と同様にかしめ締結部48によって弁ブロック11に結合されている。同じく電気部分14も同様にして電磁弁10の弁ドーム16に被せ嵌められている。
弁ブロック11の制限平面17に沿って電磁弁10;10′が複数個配置されていると、高いパッキング密度が得られる。なぜならば、かしめ締結部48が電気部分14の直径の内側に位置しているからである。したがって、複数の電磁弁10;10′を互いに極めて小さな間隔をおいて相並んで配置することができる。
【図１】
0003606873.tif 000002
【図２】
0003606873.tif 000003